(57)【要約】【課題】  構造的に高効率且つ省エネで、オイルの附着しないキッチン換気扇を提供すると同時に、高効率、省エネ、油煙が附着しない、清潔・環境保全、洗浄便利の特徴を賦与し、室内環境、機械内部環境及び室外環境の総合的な改善を図る。【解決手段】  キッチン換気扇は、ファン（１）、オイルフィルター（２）、ケーシング（３）、油煙カバー（５）、照明灯とマルチボタンスイッチ（４）などを含み、前記ファン（１）のケーシング（１２）は吸気口（１０）と排気口（８）付きの円形のダブルチェンバー又はマルチチェンバー構造となっており、ファン（１）の羽根車（６）は、少なくとも１組の、片側が閉鎖され軸方向に拡大された円弧型流道の羽根（１３）によって構成され、前記オイルフィルター（２）は、フィルターブラケット（１８）や、１次オイルストレーナ（１７）、２次オイルストレーナ（１６）及びオイル収集皿（１９）によって構成され、１次オイルストレーナ（１７）はフィルターブラケット（１８）の外側に嵌められており、２次オイルストレーナ（１６）はフィルターブラケット（１８）の上端に取り付けられ、オイル収集皿（１９）はフィルターブラケット（１８）の下端と接続される。【選択図】図１
2011525605.tif 000002
【特許請求の範囲】
【請求項１】
ファン（１）、オイルフィルター（２）、ケーシング（３）、油煙カバー（４）、照明灯及びマルチボタンスイッチ（５）を含み、前記ファン（１）のケーシング（１２）は吸気口（１０）と排気口（８）付きの円形のダブルチェンバー又はマルチチェンバー構造となっており、ファン（１）の羽根車（６）は、少なくとも１組の、片側が閉鎖され軸方向に拡大された円弧型流道の羽根（１３）によって構成されることを特徴とする構造的に高効率且つ省エネで、オイルの附着しないキッチン換気扇。
【請求項２】
請求項１に記載の換気扇において、前記円形のダブルチェンバー又はマルチチェンバーは、ケーシング（１２）中の円形のガス・サイクロンチェンバー（１１）と円形の羽根車チェンバー（９）の構造となっており、羽根車（６）は、羽根車チェンバー（９）の中に取り付けられ、ケーシング（１２）上部に配置されたモータ（７）と接続されており、それと同時に、ガス・サイクロンチェンバー（１１）の下側には吸気口（１０）があり、右側には排気口（８）があることを特徴とする構造的に高効率且つ省エネで、オイルの附着しないキッチン換気扇。
【請求項３】
請求項１又は２に記載の換気扇において、前記羽根車（６）の羽根（１３）は羽根車盤（１４）上に取り付けられており、羽根車盤（１４）とモータ（７）はモータの軸によって接続され、羽根車盤（１４）の前端にはフロントシールプレート（１５）が設けられていることを特徴とする構造的に高効率且つ省エネで、オイルの附着しないキッチン換気扇。
【請求項４】
請求項１に記載の換気扇において、前記オイルフィルター（２）は錐台形で、フィルターブラケット（１８）や、１次オイルストレーナ（１７）、２次オイルストレーナ（１６）及びオイル収集皿（１９）によって構成されており、その内、１次オイルストレーナ（１７）はフィルターブラケット（１８）の外側に嵌められており、２次オイルストレーナ（１６）はフィルターブラケット（１８）の上端に取り付けられ、オイル収集皿（１９）はフィルターブラケット（１８）の下端と接続されており、１次オイルストレーナ（１７）と２次オイルストレーナ（１６）はいずれもフレキシブル材料で作られ、オイル収集皿（１９）はプラスチック又は金属板などの硬質材料で作られることを特徴とする構造的に高効率且つ省エネで、オイルの附着しないキッチン換気扇。
【請求項５】
請求項１に記載の換気扇において、前記油煙カバー（４）は三面の閉鎖式構造となっており、ステンレス板（２２）又はその他金属で作られた金属フレーム（２０）を使用し、金属フレーム（２０）の上半部はガラス（２１）で閉鎖され、下半部はステンレス又はその他の金属板で閉鎖されることを特徴とする構造的に高効率且つ省エネで、オイルの附着しないキッチン換気扇。
【発明の詳細な説明】
【技術分野】
【０００１】
本発明は構造的に高効率且つ省エネ的で、オイルの附着しないキッチン換気扇に関わるもので、空気浄化技術分野に属するものである。
【背景技術】
【０００２】
キッチン換気扇は、電力によって駆動される遠心式ファンで、クッキング中に生じる油煙と有害ガスを吸収するクリーニングツールである。日常のクッキング中、油煙の発生は避けられないが、適時に取り除かないと、日にちが経つにつれ環境汚染が発生し、白色の壁がだんだん黄褐色になったり、きれいな食器などの器具が油垢だらけになったり、嫌な匂いがして料理を作る者を気持悪くさせる。そのため、適時に油煙の嫌な匂いを排除できるキッチン換気扇はほとんど各家庭の必須品となり、人々の脚光を浴びるようになっている。統計によると、２００５年のわが国のキッチン換気扇の年生産量は、すでに７３０．１０万台にも達している。
【０００３】
目下、すでに研究製作及び使用されているキッチン換気扇は種類が多く、その外形構造から、一般型、ディープカバー型、ディープキャビネット型に分けられており、シングルモータと左右ダブルモータの２種に分けられる。スピード調整方式によって、シングルスピードとダブルスピード及び無段変速などに分けられる。キッチン換気扇の基本構造としては、モータや、羽根車（ホイール）、ケーシング、油槽、オイル収集器、照明灯及びマルチボタンスイッチなどによって構成される。如何なるキッチン換気扇であっても、その基本原理はいずれも、遠心式のマルチリーフ・ローターファンを用いたキッチン換気扇である。
【発明の概要】
【発明が解決しようとする課題】
【０００４】
しかしながら、当該構造のキッチン換気扇は主に次の欠点がある。
【０００５】
(１)  オイル粘着が甚だしい。全てのキッチン換気扇の油煙の排出は、いずれもマルチリーフローターを通して行われるが、油煙が効果的に浄化されないと、換気扇の内壁が汚染され、ファンの羽根車に大量のオイルが不均一に粘着し、ファンの回転が次第にダイナミックバランスを失うようになり、サクション効果が次第に悪くなり、機械の騒音も次第に大きくなる。
【０００６】
(２)  効率が低く、エネルギー消耗が大きい。国内外で一般的に使われているキッチン換気扇は、いずれもマルチリーフローターを回転させて、油煙に作用することによって油煙の排出を実現している。油煙が高速に回転されるマルチリーフローターに触れ、その表面を流れるときに、ローターとの衝突・摩擦が発生するだけでなく、ファンのケーシング内壁とも衝突・摩擦が発生するが、この過程は大量のエネルギーを消耗するだけでなく、大きな騒音と磨耗が発生し、これによって、効率が低く、エネルギー消耗が大きく、騒音が大きく、寿命が短くなる。
【０００７】
(３)  環境汚染になる。キッチン換気扇の主な機能は、キッチンの清潔を保持し、環境汚染を減らし、人体の健康に有益であると言うことであるが、従来の一般的な換気扇の油煙吸収率は７０％程度で、油煙が逃げて拡散されるために、室内の空気が悪くなり、家族の健康に危害をもたらすとともに、壁などは油垢だらけになる。また、現在、一般的に、油煙ストレーナを使って油煙の分離を行っているが、一部のオイルが僅かにろ過されるだけなので、室外に排出される油煙の浄化率が低く、ある程度の室外環境汚染を招来する。
【０００８】
(４)  分離洗浄に費用がかかる。キッチン換気扇はオイルの粘着が甚だしいため、絶えず費用をかけて洗浄又はストレーナを交換しなければならず、一般ユーザーは毎年２，３回ほど換気扇を洗浄するが、専門の人員によって分解・洗浄されるので、長期間に渡るメンテナンスには多くの費用を必要とする。
【０００９】
国内外の多くの研究者らは、オイルの粘着の軽減、油煙の除去、空気浄化、環境保全、効率向上、省エネなどのために、長期的にたゆまぬ努力を重ね、機械構造の改良や、ローターの表面処理、浄化器の増設、油煙カバーの増設、ストレーナの使用、油煙分離などの一連の措置を取って、一定の効果は得ているものの、羽根車を回転させてエネルギーを伝達すると言う従来の理論的枠組みを超えることはできていない。ある程度の効果はあるが根本的な解決はできないので、一部の性能はある程度向上されているものの、突破的な進展は見られない状態である。
【００１０】
本発明の目的は、上記の問題を解決するために、構造的に高効率且つ省エネで、オイルの附着しないキッチン換気扇を提供すると同時に、それに「高効率、省エネ、油煙が附着しない、清潔・環境保全、洗浄便利」などの特徴を賦与させ、更に室内環境、機械内部環境及び室外環境の総合的な改善を図ると言うことである。
【課題を解決するための手段】
【００１１】
この目標を実現するために、本発明では次の技術案を使用する。
【００１２】
本発明は、ファン、オイルフィルター、ケーシング、油煙カバー、照明灯及びマルチボタンスイッチを含み、前記ファンのケーシングは吸気口と排気口付きの円形のダブルチェンバー又はマルチチェンバー構造となっており、ファンの羽根車は、少なくとも１組の、片側が閉鎖され軸方向に拡大された円弧型流道の羽根によって構成される、構造的に高効率且つ省エネで、オイルの附着しないキッチン換気扇である。
【００１３】
前記円形ダブルチェンバー又はマルチチェンバーは、ケーシング中の円形のガス・サイクロンチェンバーと円形の羽根車チェンバー構造となっており、羽根車は羽根車チェンバーの中に取り付けられ、ケーシング上部に配置されたモータと接続されており、それと同時に、ガス・サイクロンチェンバーの下側には吸気口があり、右側には排気口がある。
【００１４】
前記羽根車の羽根は羽根車盤上に取り付けられており、羽根車盤とモータはモータの軸によって接続され、羽根車盤の前端にはフロントシールプレートが設けられている。
【００１５】
前記オイルフィルターは錐台形で、フィルターブラケットや、１次オイルストレーナ、２次オイルストレーナ及びオイル収集皿によって構成されており、その内、１次オイルストレーナはフィルターブラケットの外側に嵌められており、２次オイルストレーナはフィルターブラケットの上端に取り付けられ、オイル収集皿はフィルターブラケットの下端と接続されており、１次オイルストレーナと２次オイルストレーナはいずれもフレキシブル材料で作られ、オイル収集皿はプラスチック又は金属板などの硬質材料で作られる。
【００１６】
前記油煙カバーは３面の閉鎖式構造となっており、ステンレス又はその他金属で作られた金属フレームを使っており、金属フレームの上半部はガラスで閉鎖され、下半部はステンレス板又はその他金属板で閉鎖される。
【００１７】
本発明の構造的に高効率且つ省エネで、オイルの附着しないキッチン換気扇は、ファンや、オイルフィルター、ケーシング、油煙カバー、照明灯とマルチボタンスイッチなどによって構成される。その基本的な特徴としては、片側が閉鎖され、軸方向に拡大された円弧型流道の羽根で構成された羽根車と、吸・排気口の設けられた独特な円形のダブルチェンバー（又はマルチチェンバー）ケーシング構造である。この構造のファンによって、新しいエネルギー伝達方式、つまり、ガスサイクロン場によるエネルギー伝達方式が実現できる。このエネルギー伝達方式のファンは、従来の羽根車を回転させてエネルギーを伝達する方式のファンに比べて、より効率が高く、より省エネで、より騒音が小さく、より寿命が長く、油煙と羽根車との分離が実現でき、つまり油煙が羽根車に触れずに排出できるので、構造的に本当の意味でのオイルの附着無しを実現できる。オイルフィルターは錐台形にデザインされており、フィルターブラケットや、１次オイルストレーナ、２次オイルストレーナ及びオイル収集皿によって構成されている。１次オイルストレーナはフィルターブラケットの外側に嵌められており、２次オイルストレーナはフィルターブラケットの上端に取り付けられ、オイル収集皿はフィルターブラケットの下端に接続されている。
【００１８】
本発明の有益な効果は次のとおりである。羽根や、羽根車及びファンケーシング構造を特別に組み合わせることによって、一方では、輸送されるガスと、羽根車及びケーシングとの衝突及び摩擦がなるべく発生しないように、油煙が羽根車に触れないようにし、これによって、容積のロスを大幅に減らし、流動のロスを基本的に除去することができ、機械内部のエネルギー消耗を大幅に低減することができ、羽根車の寿命を著しく伸ばすことができる。また一方では、円形のダブルチェンバーケーシングの内部に片側閉鎖の円弧型流道の羽根車を使っており、これによって、軸を中心として高速に回転する増強型のガスサイクロン場が形成されるが、このサイクロン場によって、羽根車又は羽根を回転させてガスを輸送するのではなく、「ガスがガスを駆動する」方式でガスが輸送し、これによって、新しいエネルギー伝達方式、つまり、ガスサイクロン場によるエネルギー伝達が実現できる。従って、構造的に高効率且つ省エネで、オイルの附着しないキッチン換気扇において、本当の意味でのオイルの附着無しを実現し、羽根車の清潔と分解・洗浄免除を保証すると同時に、効率が高く、エネルギー消耗が低く、騒音が小さく、消耗材が少なく、加工し易く、寿命が長いなどの特徴を有する。
【００１９】
錐台形のオイルフィルターを使って、油煙は１次オイルストレーナと２次オイルストレーナによって２回ろ過されるので、油煙の徹底的な分離が実現でき、油煙の浄化率を著しく高め、機械内部の清潔を更に保証することができ、室外環境汚染を効果的に防止できる。１次オイルストレーナと２次オイルストレーナはフレキシブル材料で作られるので、分解洗浄又は交換に便利であり、運転・メンテナンスコストも極めて低い。
【００２０】
３面閉鎖式構造の油煙カバーを使うことによって、油煙を完全にカバーすることができ、油煙の逃げと拡散を効果的に防ぎ、油煙の吸収・排出効率を著しく向上し、室内空気の清潔と壁の清潔を保証することができる。
【００２１】
本発明の構造的に高効率且つ省エネで、オイルの附着しないキッチン換気扇の主な技術指標としては、効率が１０％以上向上でき、省エネが１０％以上で、騒音は５０ｄＢ以下、油煙吸収率は９５％以上、油煙浄化率は９０％以上、寿命は３倍以上向上される。それと同時に、「高効率且つ省エネ的で、油煙が附着せず、清潔で環境保全的で、クリーニングが便利」などの特徴があり、総合的な経済技術指標は国内外の先進水準に達しており、省エネ・ＣＯ２排出低減効果が著しく、経済・社会効果が著しい。
【００２２】
本発明の原理と技術は、家庭の厨房、ホテル、レストラン、食堂などのキッチン換気扇の製造に幅広く応用される。
【図面の簡単な説明】
【００２３】
【図１】キッチン換気扇構造の見取図
【図２】ファン構造の見取図
【図３】羽根車構造の見取図
【図４】オイルフィルター構造の見取図
【図５】油煙カバーのa方向構造の見取図
【図６】油煙カバーのｂ方向構造の見取図
【発明を実施するための形態】
【００２４】
以下では添付図を参照して、本発明について更に説明することにする。
【００２５】
図１に示されている通り、ファン１、オイルフィルター２、ケーシング３、油煙カバー４、照明灯とマルチボタンスイッチ５などを含む構造的に高効率且つ省エネで、オイルの附着しないキッチン換気扇。図２に示されている通り、ファン１は、ケーシング１２や、羽根車６、羽根車チェンバー９、ガスサイクロンチェンバー１１、吸気口１０、排気口８、モータ７などで構成されており、前記ファン１の羽根車６は、少なくとも１組の、片側が閉鎖され軸方向に拡大された円弧型流道の羽根１３によって構成されており、前記ファン１のケーシング１２は、吸気口１０と排気口８付きの円形のダブルチェンバー又はマルチチェンバー構造となっている。前記円形のダブルチェンバー又はマルチチェンバーの構造は、ケーシング１２を円形のガスサイクロンチェンバー１１と円形の羽根車チェンバー９に分けたもので、羽根車６は、羽根車チェンバー９内に取り付けられ、しかも、ケーシング１２上部に配置されたモータ７と接続され、それと同時に、ガスサイクロンチェンバー１１の下側には吸気口１０があり、右側には排気口８がある。
【００２６】
図３に示されている通り、羽根車６には、お互いに接続された羽根１３と羽根車盤１４が含まれており、羽根車盤１４はモータ７のモータ軸に接続されており、羽根車盤１４の前端にはフロントシールプレート１５が設けられている。
【００２７】
図４に示されている通り、前記オイルフィルター２は錐台形のデザインとなっており、フィルターブラケット１８や、１次オイルストレーナ１７、２次オイルストレーナ１６及びオイル収集皿１９によって構成されている。１次オイルストレーナ１７はフィルターブラケット１８の外側に嵌められており、２次オイルストレーナ１６はフィルターブラケット１８の上端に取り付けられ、オイル収集皿１９はフィルターブラケット１８の下端と接続されている。一次オイルストレーナ１７はフレキシブル材料（例えば、ナイロン網など）で作られ、２次オイルストレーナ１６もフレキシブル材料（例えば、複数層のガーゼなど）で作られ、オイル収集皿１９はプラスチック又は金属板などの硬質材料で作られる。
【００２８】
図５、図６に示されている通り、前記油煙カバー４は３面の閉鎖式構造となっており、ステンレス又はその他金属などで金属フレーム２０を作り、上半部はガラス２１で閉鎖され、下半部はステンレス板２２又はその他金属板で閉鎖されている。
【符号の説明】
【００２９】
１・・・ファン
２・・・オイルフィルター
３・・・ケーシング
４・・・油煙カバー
５・・・マルチボタンスイッチ
６・・・羽根車
７・・・モータ
８・・・排気口
９・・・羽根車チェンバー
１０・・・吸気口
１１・・・気流サイクロンチェンバー
１２・・・ファンケーシング
１３・・・羽根
１４・・・羽根車盤
１５・・・フロントシールプレート
１６・・・２次オイルストレーナ
１７・・・１次オイルストレーナ
１８・・・フィルターブラケット
１９・・・オイル収集皿
２０・・・金属フレーム
２１・・・ガラス
２２・・・ステンレス板
【図１】
2011525605.tif 000003
【図２】
2011525605.tif 000004
【図３】
2011525605.tif 000005
【図４】
2011525605.tif 000006
【図５】
2011525605.tif 000007
【図６】
2011525605.tif 000008
【国際調査報告】
2011525605.tif 000009
2011525605.tif 000010
2011525605.tif 000011
2011525605.tif 000012
2011525605.tif 000013
2011525605.tif 000014
2011525605.tif 000015
2011525605.tif 000016